(57)【要約】【課題】送信の制御と、受信信号を１本の接続信号線で共用することができる超音波診断装置を提供する。【解決手段】振動子１−１と振動子１−２で配列振動子２を構成する。振動子１−１は、駆動回路３−１の出力部とＴＲスイッチ４−１の入力部に接続される。接続信号線６−１は、駆動回路３−１の入力部とＴＲスイッチ４−１の出力部に接続される。接続信号線６−１はスイッチ７−１の出力部とプリアンプ８−１の入力部に接続される。スイッチ７−１の入力部はトリガー信号発生器９に接続される。プリアンプ８−１の出力は受信整相器１０に接続される。【選択図】図１
2007202813.tif 000002
【特許請求の範囲】
【請求項１】
配列振動子を有し、前記配列振動子の各振動子に駆動回路の出力とＴＲスイッチの受信信号入力部が接続され、前記駆動回路を駆動するトリガー信号と前記ＴＲ
スイッチの受信信号出力を同一の接続信号線に重畳する超音波診断装置。
【請求項２】
接続信号線がプリアンプの入力とスイッチに接続され、スイッチにはトリガー信号発生部が接続される請求項１記載の超音波診断装置。
【発明の詳細な説明】
【技術分野】
【０００１】
本発明はプリアンプの入力を保護するＴＲスイッチ有する超音波診断装置に関するものである。
【背景技術】
【０００２】
従来の超音波診断装置は、高電圧の駆動回路出力と超音波振動子、および駆動回路出力とプリアンプの間にＴＲスイッチ（ｔｒａｎｓｍｉｔ−ｒｅｃｅｉｖｅ  ｓｗｉｔｃｈ  １６）が設けられていた（例えば特許文献１参照）。
【特許文献１】米国特許第６３８０７６６号明細書（段落６の２３〜２９行、ＦＩＧ．１Ａ）
【発明の開示】
【発明が解決しようとする課題】
【０００３】
しかしながら、従来のＴＲスイッチにおいては、超音波診断装置の電子ユニットから、送信の制御のための信号線２５と、受信信号のための信号線２９の少なくとも２本信号線が１個の超音波振動子について必要であり、振動子の数が多くなると信号線の数が増えるという問題があった。
【０００４】
本発明は、従来の問題を解決するためになされたもので、送信の制御と、受信信号を１本の信号線で共用することのできる超音波診断装置を提供することを目的とする。
【課題を解決するための手段】
【０００５】
本発明の超音波診断装置は、配列振動子の各振動子に駆動回路の出力とＴＲスイッチの受信信号入力部が接続され、前記駆動回路を駆動するトリガー信号と前記ＴＲスイッチの受信信号出力を同一の接続信号線に重畳する構成を有している。
【０００６】
この構成により、送信の制御と、受信信号を１本の接続信号線で共用することとなる。
【０００７】
また、本発明の超音波診断装置は、接続信号線がプリアンプの入力とスイッチに接続され、スイッチにはトリガー信号発生部が接続される構成を有している。
【０００８】
この構成により、送信の制御と、受信信号を１本の接続信号線で共用することとなる。
【発明の効果】
【０００９】
本発明は、配列振動子の各振動子に駆動回路の出力とＴＲスイッチの受信信号入力部が接続され、前記駆動回路を駆動するトリガー信号と前記ＴＲスイッチの受信信号出力をそれぞれ同一の接続信号線に重畳することにより、送信の制御と、受信信号を１本の接続信号線で共用するという効果を有する超音波診断装置を提供することができるものである。
【発明を実施するための最良の形態】
【００１０】
以下、本発明の実施の形態の超音波診断装置について、図面を用いて説明する。
【００１１】
（実施の形態１）
本発明の実施の形態の要部ブロック図を図１に示す。
【００１２】
図１において、振動子１−１と振動子１−２で配列振動子２を構成する。振動子１−１は、駆動回路３−１の出力部とＴＲスイッチ４−１の入力部に接続される。
【００１３】
接続信号線６−１は、駆動回路３−１の入力部とＴＲスイッチ４−１の出力部に接続される。同様にして、振動子１−２は、駆動回路３−２の出力部とＴＲスイッチ４−２の入力部に接続される。接続信号線６−２は、駆動回路３−２の入力部とＴＲスイッチ４−２の出力部に接続される。駆動回路３−１、３−２およびＴＲスイッチ４−１、４−２は高耐圧半導体プロセスからなる送信集積回路５を構成する。
【００１４】
接続信号線６−１はスイッチ７−１の出力部とプリアンプ８−１の入力部に接続される。スイッチ７−１の入力部はトリガー信号発生器９に接続される。プリアンプ８−１の出力は受信整相器１０に接続される。同様にして、接続信号線６−２はスイッチ７−２の出力部とプリアンプ８−２の入力部に接続される。スイッチ７−２の入力部はトリガー信号発生器９に接続される。
【００１５】
プリアンプ８−２の出力は受信整相器１０に接続される。スイッチ７−１と７−２、プリアンプ８−１と８−２、トリガー信号発生器９、受信整相器１０は低耐圧半導体プロセスからなる受信集積回路１１を構成する。
【００１６】
以上のように構成された超音波診断装置について、図１を用いてその動作を説明する。
【００１７】
まず、送信期間中では、トリガー信号発生器９はトリガー信号を発生する。スイッチ７−１、７−２はオン状態でありトリガー信号を接続線６−１、６−２を介して駆動回路３−１、３−２に伝える。この時ＴＲスイッチ４−１、４−２はオフ状態である。駆動回路３−１、３−２は高電圧の駆動パルスを発生し、波振動子１−１、１−２は超音波パルスを発生する。この様にして送信期間は終了する。
【００１８】
次に、受信状態になりＴＲスイッチ４−１、４−２はオン状態になる。波振動子１−１、１−２が発生する受信信号はＴＲスイッチ４−１、４−２を経由、接続線６−１、６−２を介してプリアンプ８−１、８−２へ入力される。この時、スイッチ７−１、７−２はオフ状態である。プリアンプ８−１、８−２の出力は受信整相器１０へ入力される。受信整相器１０の出力は図には示さない信号処理部へ送られる。ＴＲスイッチ４−１と４−２、スイッチ７−１と７−２、およびトリガー信号発生器９は図には示さない制御部により制御される。
【００１９】
このような本発明の第１の実施の形態の超音波診断装置によれば、配列振動子の各振動子に駆動回路の出力とＴＲスイッチの受信信号入力部が接続され、前記駆動回路を駆動するトリガー信号と前記ＴＲスイッチの受信信号出力を同一の接続信号線に重畳する構成を有していることにより、送信の制御と、受信信号を１本の接続信号線で共用することが可能になり、特に振動子の数が多い場合に信号線の数を大幅に削減することができる。
【産業上の利用可能性】
【００２０】
以上のように、本発明にかかる超音波診断装置は、送信の制御と、受信信号を１本の接続信号線で共用することが可能になり、特に振動子の数が多い場合に信号線の数を大幅に削減することができるという効果を有し、プリアンプの入力を保護するＴＲスイッチ有する超音波診断装置等として有用である。
【図面の簡単な説明】
【００２１】
【図１】本発明の実施の形態における超音波診断装置の要部ブロック図
【符号の説明】
【００２２】
１−１，１−２    振動子
２    配列振動子
３−１，３−２    駆動回路
４−１，４−２    ＴＲスイッチ
５    送信集積回路
６−１    接続信号線
７−１，７−２    スイッチ
８−１，８−２    プリアンプ
９    トリガー信号発生器
１０    受信整相器
１１    受信集積回路
【図１】
2007202813.tif 000003